(57)【要約】【課題】空質向上手段を通過する風の風切音を低減することができるとともに、空質向上手段の機能を十分発揮できる空気清浄機を提供することを目的とする。【解決手段】縦長のクロスフローファン１の吸込側に空気清浄手段２および吸込口３を設けた本体４と、クロスフローファン１の吹出側に設けた縦長の吹出口５の一部を遮断するように設けた空質向上手段６と、空質向上手段６の上流側に設けられる風速抑制手段７とを備え、風速抑制手段７をクロスフローファン１の円弧状ケーシング８または舌部ケーシング９に設けたことにより、空質向上手段６を通過する風切音を低減することができ、空質向上手段６の機能を十分発揮できる空気清浄機を得られる。【選択図】図１
2007024390.tif 000002
【特許請求の範囲】
【請求項１】
縦長のクロスフローファンの吸込側に空気清浄手段および吸込口を設けた縦長の本体と、前記クロスフローファンの吹出側に設けた前記本体の表面に開口する縦長の吹出口と、この吹出口の一部を遮断するように設けた空質向上手段と、この空質向上手段の上流側に設けられる風速抑制手段とを備え、前記風速抑制手段をクロスフローファンの円弧状ケーシングまたは舌部ケーシングに設けた空気清浄機。
【請求項２】
風速抑制手段を、縦長のクロスフローファンの中央付近に配設し、空質向上手段を、縦長の吹出口の中央付近に配設してなる請求項１記載の空気清浄機。
【請求項３】
縦長のクロスフローファンと縦長の吹出口の中央位置がすれている場合は、円弧状ケーシングまたは舌部ケーシングに風量分布調整手段を追加してなる請求項２記載の空気清浄機。
【請求項４】
風速抑制手段または風量分布調整手段を、円弧状ケーシングの内面に突起リブを設け形成した請求項１〜３記載の空気清浄機。
【請求項５】
突起リブの断面形状を三角形状とした請求項４記載の空気清浄機。
【請求項６】
風速抑制手段を、円弧状ケーシングと舌部ケーシングを連結する連結リブにより形成した請求項１記載の空気清浄機。
【請求項７】
風速抑制手段を、円弧状ケーシングに局所的に肉厚部を設け形成した請求項１記載の空気清浄機。
【請求項８】
空質向上手段をマイナスイオン発生装置により形成した請求項１記載の空気清浄機。
【請求項９】
空質向上手段を、微細水滴発生手段により形成した請求項１記載の空気清浄機。
【請求項１０】
クロスフローファンと円弧状ケーシングに設けた風速抑制手段との距離Ｌを７〜１１ｍｍとした請求項１、４、５または７記載の空気清浄機。
【請求項１１】
クロスフローファンの上下端の少なくとも一端を覆うように円弧状ケーシングと舌部ケーシングを連結する漏れ防止リブを設けた請求項１記載の空気清浄機。
【請求項１２】
クロスフローファンの上端の連結板間または下端の連結板間の範囲内において対向する舌部ケーシングに舌部より高さの大なる突出リブを形成した請求項１記載の空気清浄機。
【請求項１３】
クロスフローファンの各連結板に対向して円弧状ケーシングが複数の風路規制リブを設けた請求項１記載の空気清浄機。
【発明の詳細な説明】
【技術分野】
【０００１】
本発明は、室内の汚染された空気を浄化する空気清浄機に関する。
【背景技術】
【０００２】
従来、この種の空気清浄機の一例として空質向上手段となるイオン発生装置を設けた空気調和機の室内ユニットが知られている（例えば、特許文献１参照）。
【０００３】
以下、その空気調和機の室内ユニットについて図１６を参照しながら説明する。
【０００４】
図に示すように、横流れファンにより形成される室内送風機１０１の送風路１０２には、針状電極１０３を設けたマイナスイオン発生装置１０４を設けている。
【０００５】
また、イオン発生装置を設けた空気改質機器が知られている（例えば、特許文献２参照）。
【０００６】
以下、その空気改質機器について図１７および図１８を参照しながら説明する。
【０００７】
図に示すように、イオン発生装置２０１は、ファンケーシング２０２の案内壁２０３に設けた切り欠き２０４に取付具２０５によって取り付けられ、取付具２０５の主部２０６は案内壁２０３の外側に位置するが、ガード２０７はファンケーシング２０２の中に突出して設けられている。
【特許文献１】特開２００１−７４２６３号公報（［００３２］〜［００３６］、図２）
【特許文献２】特開２００３−９０５７１号公報（［００２９］〜［００３３］、図４、図１４）
【発明の開示】
【発明が解決しようとする課題】
【０００８】
このような従来の空気調和機の室内ユニットにおいては、室内送風機１０１の送風路１０２内に針状電極１０３を設けたマイナスイオン発生装置１０４を設けているので、針状電極１０３を送風空気が通過するときに風切音が発生するという課題があり、風切音を低減することが要求されている。
【０００９】
また、風切音を抑えるためにマイナスイオン発生装置１０４を送風路１０２の中心から外れた位置に設けた場合は、マイナスイオン発生装置１０４の機能を十分に発揮することができないという課題があり、風切音を生じないようにしてもマイナスイオン発生装置１０４の機能を十分発揮させることが要求されている。
【００１０】
また、空気改善機器においては、ファンケーシング２０２の中にイオン発生装置２０１を奥まった所に設けているので、発生したマイナスイオンがファンケーシング２０２の表面に付着して、マイナスイオンの発生量が大巾に減少するため、イオン発生装置２０１の機能を十分に発揮することができないという課題があり、マイナスイオンが減らないようにしてイオン発生装置２０１の機能を十分発揮させることが要求されている。
【００１１】
本発明は、このような従来の課題を解決するものであり、マイナスイオン発生装置などの空質向上手段を通過する風切音を低減することができるとともに、風路中に設けた空質向上手段の機能を十分発揮できる空気清浄機を提供することを目的としている。
【課題を解決するための手段】
【００１２】
本発明の空気清浄機は上記目的を達成するために、縦長のクロスフローファンの吸込側に空気清浄手段および吸込口を設けた縦長の本体と、前記クロスフローファンの吹出側に設けた前記本体の表面に開口する縦長の吹出口と、この吹出口の一部を遮断するように設けた空質向上手段と、この空質向上手段の上流側に設けられる風速抑制手段とを備え、前記風速抑制手段をクロスフローファンの円弧状ケーシングまたは舌部ケーシングに設けたものである。
【００１３】
この手段により、空質向上手段を通過する風切音を低減でき、また、バサバサという耳障りな騒音を抑制でき、また、空質向上手段の機能を十分発揮できる空気清浄機が得られる。
【００１４】
また、他の手段は、風速抑制手段を、縦長のクロスフローファンの中央付近に配設し、空質向上手段は、縦長の吹出口の中央付近に配設したものである。
【００１５】
この手段により、風速の抑制効果を最大限に発揮することができ、また、空質向上成分を室内に広く行き渡らせることができる空気清浄機が得られる。
【００１６】
また、他の手段は、縦長のクロスフローファンと縦長の吹出口の中央位置がずれている場合は、円弧状ケーシングまたは舌部ケーシングに風量分布調整手段を追加したものである。
【００１７】
この手段により、空質向上手段を中心にした略均等な風量配分を実現することができる空気清浄機が得られる。
【００１８】
また、他の手段は、風速抑制手段または風量分布調整手段を、円弧状ケーシングの内面に突起リブを設け形成したものである。
【００１９】
この手段により、空質向上手段通過時の風切音を低減することができ、また、耳障りな騒音の発生を抑制でき、また、突起リブを安価に形成できる空気清浄機が得られる。
【００２０】
また、他の手段は、突起リブの断面形状を三角形状としたものである。
【００２１】
この手段により、風向の方向変換をスムースに行なうことができるとともに、圧力変動に強くなり、さらに突起リブの破損を防止することができる空気清浄機が得られる。
【００２２】
また、他の手段は、風速抑制手段を、円弧状ケーシングと舌部ケーシングを連結する連結リブにより形成したものである。
【００２３】
この手段により、長い領域で風速を低減でき、また、突起リブに比べて大きな風速抑制効果を発揮できる空気清浄機が得られる。
【００２４】
また、他の手段は、風速抑制手段を、円弧状ケーシングに局所的に肉厚部を設け形成したものである。
【００２５】
この手段により、円弧状ケーシング自体を補強できる空気清浄機が得られる。
【００２６】
また、他の手段は、空質向上手段をマイナスイオン発生装置により形成したものである。
【００２７】
この手段により、マイナスイオンを減少することなく、効率良く室内に供給できる空気清浄機が得られる。
【００２８】
また、他の手段は、空質向上手段を、微細水滴発生手段により形成したものである。
【００２９】
この手段により、快適環境を実現できるとともに、微細水滴を効率良く室内に供給することができる空気清浄機が得られる。
【００３０】
また、他の手段は、クロスフローファンと円弧状ケーシングに設けた風速抑制手段との距離Ｌを７〜１１ｍｍとしたものである。
【００３１】
この手段により、送風機能を十分発揮できるとともに、騒音が急激に大きくなるのを防止できる空気清浄機が得られる。
【００３２】
また、他の手段は、クロスフローファンの上下端の少なくとも一端を覆うように円弧状ケーシングと舌部ケーシングを連結する漏れ防止リブを設けたものである。
【００３３】
この手段により、クロスフローファンの端部から空気漏れを防ぎ、空気清浄効率および処理風量を確保することができる空気清浄機が得られる。
【００３４】
また、他の手段は、クロスフローファンの上端の連結板間または、下端の連結板間の範囲内において対向する舌部ケーシングに舌部より高さの大なる突出リブを形成したものである。
【００３５】
この手段により、クロスフローファンと舌部の間で空気の逆流を防ぎ、空気清浄効率および処理風量を確保することができる空気清浄機が得られる。
【００３６】
また、他の手段は、クロスフローファンの各連結板に対向して円弧状ケーシングに複数の風路規制リブを設けたものである。
【００３７】
この手段により、風量の変動を抑えて騒音の発生を防止することができる空気清浄機が得られる。
【発明の効果】
【００３８】
本発明によれば、空質向上手段を通過する気流の風切音を低減でき、バサバサという耳障りな騒音を抑制でき、また、空質向上手段の機能を十分発揮できるという効果のある空気清浄機を提供できる。
【００３９】
また、風速の抑制効果を最大限に発揮することができ、また空質向上成分を室内に広く行きわたらせることができるという効果のある空気清浄機を提供できる。
【００４０】
また、マイナスイオンを減少することなく、効率良く室内に供給でき、また、快適環境を実現できるとともに微細水滴を効率良く室内に供給できるという効果のある空気清浄機を実現できる。
【００４１】
また、空気清浄効率および処理風量を確保することができるという効果のある空気清浄機を提供できる。
【発明を実施するための最良の形態】
【００４２】
本発明の請求項１記載の発明は、縦長のクロスフローファンの吸込側に空気清浄手段および吸込口を設けた縦長の本体と、前記クロスフローファンの吹出側に設けた前記本体の表面に開口する縦長の吹出口と、この吹出口の一部を遮断するように設けた空質向上手段と、この空質向上手段の上流側に設けられる風速抑制手段とを備え、前記風速抑制手段をクロスフローファンの円弧状ケーシングまたは舌部ケーシングに設けたものであり、円弧状ケーシングまたは舌部ケーシングに設けたリブなどの風速抑制手段がイオン発生装置などの空質向上手段の上流側で、空質向上手段に直接風が当たらないように送風路を一部変更するとともに風速を落とすことにより、空質向上手段を通過するときの風切音を低減し、また、クロスフローファンの舌部付近の不安定な圧力変動を生じないようにして、クロスフローファンが圧力変動を受けたとき発生する「バサバサ」という特有の耳障りな騒音を抑制することができるとともに、空質向上手段を通過する風速を適正値に下げることにより、空質向上手段の機能を十分発揮させることができるという作用を有する。
【００４３】
また、請求項２記載の発明は、風速抑制手段を、縦長のクロスフローファンの中央付近に配設し、空質向上手段を、縦長の吹出口の中央付近に配設したものであり、風速の最大となるクロスフローファンの中央付近に風速抑制手段を配置することにより、風速の抑制効果を最大限発揮することができ、また、縦長の吹出口の中央付近に空質向上手段を配置することにより、抑制された風速の清浄空気を空質向上手段に供給できるとともに、吹出口の中央付近から空質向上成分を搬送して室内に広く行き渡らせることができるという作用を有する。
【００４４】
また、請求項３記載の発明は、縦長のクロスフローファンと縦長の吹出口の中央位置がずれている場合は、円弧状ケーシングまたは舌部ケーシングに風量分布調整手段を追加してなるものであり、縦長のクロスフローファンと縦長の吹出口の中央位置がずれている場合は、吹出口からの風速分布または風量分布が上下で偏りを生じるときがあり、風速抑制手段（突起リブなど）と同様な形状の風量分布調整手段を、風量大なる領域に追加することにより風量バランスを保つことができ、空質向上手段を中心にした略均等な風量配分を実現することができるという作用を有する。
【００４５】
また、請求項４記載の発明は、風速抑制手段または風量分布調整手段を、円弧状ケーシングの内面に突起リブを設け形成したものであり、円弧状ケーシングの内面に設けた突起リブは、空質向上手段の上流側で空質向上手段に直接風が当たらないように送風路を一部変更するとともに、空質向上手段に供給する風速を下げることができ、空質向上手段通過時の風切音を低減し、圧力変動に起因するバサバサという耳障りな騒音の発生を抑制できる。また、金型成形により製造時、安価かつ容易に円弧状ケーシングの内面に突起を設けることができるという作用を有する。
【００４６】
また、請求項５記載の発明は、突起リブの断面形状を三角形状としたものであり、突起リブの断面形状を三角形状とすることで、円弧状ケーシングから風向の方向変換がスムースに行なえるとともに、突起リブの先端をクロスフローファンに近接させて圧力変動に強くなり、さらに突起リブの根元を強固にして破損を防止できるという作用を有する。
【００４７】
また、請求項６記載の発明は、風速抑制手段を、円弧状ケーシングと舌部ケーシングを連結する連結リブにより形成したものであり、連結リブは円弧状ケーシングから舌部ケーシングに至る長い領域で風速を低減でき、突起リブに比べて大きな効果を発揮できるとともに、円弧状ケーシングと舌部ケーシングを中央で連結して縦長のケーシングを補強することができるという作用を有する。
【００４８】
また、請求項７記載の発明は、風速抑制手段を、円弧状ケーシングに局所的に肉厚部を設け形成したものであり、突起リブに比べて損傷する恐れがなく、円弧状ケーシング自体を補強することができるという作用を有する。
【００４９】
また、請求項８記載の発明は、空質向上手段をマイナスイオン発生装置により形成したものであり、従来の小形のマイナスイオン発生装置に比べて吹出口の一部を遮断するように設けているので、大形のマイナスイオン発生装置を取り付けることができ、吹出口からマイナスイオンをほとんど減少させることなく、効率よく室内に供給することができるという作用を有する。
【００５０】
また、請求項９記載の発明は、実質向上手段を、微細水滴発生手段により形成したものであり、吹出口から微細水滴を清浄空気とともに供給して、室内の動植物に適度な湿気を供給して快適環境を実現するとともに、微細水滴をほとんど減少させることなく、効率よく室内に供給することができるという作用を有する。
【００５１】
また、請求項１０記載の発明は、クロスフローファンと円弧状ケーシングに設けた風速抑制手段との距離Ｌを７〜１１ｍｍとしたものであり、クロスフローファンと円弧状ケーシングに設けた風速抑制手段（突起リブ）との距離Ｌが１１ｍｍより大きい場合は、風量が急激に減少して送風機能が発揮できず、距離Ｌが７ｍｍ未満の場合は、騒音が急激に大きくなるので実用化できないものであるという作用を有する。
【００５２】
また、請求項１１記載の発明は、クロスフローファンの上下端の少なくとも一端を覆うように円弧状ケーシングと舌部ケーシングを連結する漏れ防止リブを設けたものであり、クロスフローファンの上下端の隙間から漏れ出る気流を防いで、圧力損失を適正に保ち、空気清浄効率および処理風量を確保することができるという作用を有する。
【００５３】
また、請求項１２記載の発明は、クロスフローファンの上端の連結板間または下端の連結板間の範囲内において対向する舌部ケーシングに舌部より高さの大なる突出リブを形成したものであり、圧力損失のバランスが崩れやすいクロスフローファンの上端連結板または下端連結板の範囲で、舌部ケーシングに舌部より高さの大なる突出リブを形成することで圧力損失をクロスフローファンの中央側と同等に調整することができ、空気清浄効率および処理風量を確保することができるという作用を有する。
【００５４】
また、請求項１３記載の発明は、クロスフローファンの各連結板に対向して円弧状ケーシングに複数の風路規制リブを設けたものであり、円弧状ケーシングに設けた複数の風路規制リブが整流機能を発揮し、クロスフローファンの吸込気流に上下方向の乱れを生じないようにして、風量の変動を抑えて騒音の発生を防止することができるという作用を有する。
【００５５】
以下、本発明の実施の形態について図面を参照しながら説明する。
【００５６】
（実施の形態１）
図１〜図６に示すように、縦長の円筒形のクロスフローファン１の吸込側に空気清浄手段２および吸込口３を設けた縦長の本体４と、クロスフローファン１の吹出側に設けた本体４の表面に開口する縦長の吹出口５と、吹出口５の一部を遮断するように設けた空質向上手段６と、空質向上手段６の上流側に設けられる風速抑制手段７とを備え、風速抑制手段７をクロスフローファン１の円弧状ケーシング８または舌部ケーシング９に設ける。
【００５７】
また、風速抑制手段７を縦長のクロスフローファン１の中央付近に配設し、空質向上手段６を縦長の吹出口５の中央付近に配設し、縦長のクロスフローファン１と縦長の吹出口５の中央位置がずれている場合は、円弧状ケーシング８または舌部ケーシング９に風量分布調整手段１０を追加して設ける。
【００５８】
また、風速抑制手段７または風量分布調整手段１０を、円弧状ケーシング８の内面に突起リブ１１を設け形成し、突起リブ１１の断面形状を三角形状に形成し構成する。
【００５９】
上記構成において、空気清浄機を運転すると、クロスフローファン１が駆動され、吸込口３より吸い込まれた汚染空気は、空気清浄手段２を通過する間に浄化され、浄化された空気がクロスフローファン１により吹出口５に送られ吹出口５から浄化された空気が吹き出される。このとき、縦長の吹出口５の一部を遮断するように設けた空質向上手段６の上流側に設けた風速抑制手段７により抑制された風速の空気が空質向上手段６側に送られ、マイナスイオンが吹出口５より放散される。
【００６０】
このように実施の形態１の発明によれば、縦長のクロスフローファン１の吸込側に空気清浄手段２および吸込口３を設けた縦長の本体４と、クロスフローファン１の吹出側に設けた本体４の表面に開口する縦長の吹出口５と、吹出口５の一部を遮断するように設けた空質向上手段６と、空質向上手段６の上流側に設けられる風速抑制手段７とを備え、風速抑制手段７をクロスフローファン１の円弧状ケーシング８または舌部ケーシング９に設けたので、円弧状ケーシング８または舌部ケーシング９に設けた突起リブ１１などの風速抑制手段７がイオン発生装置などの空質向上手段６の上流側で、空質向上手段６に直接風が当たらないように送風路を一部変更するとともに風速を小さくすることにより、空質向上手段６を通過するときの風切音を低減し、また、クロスフローファン１の舌部１２Ａ付近の不安定な圧力変動を生じないようにして、クロスフローファン１が圧力変動を受けたとき発生するばさばさという特有の耳障りな騒音を抑制することができるとともに、空質向上手段６を通過する風速を適正値に下げることにより、空質向上手段６の機能を十分発揮させることができることとなる。
【００６１】
また、風速抑制手段７を、縦長のクロスフローファン１の中央付近に配設し、空質向上手段６を、縦長の吹出口５の中央付近に配設したので、風速の最大となるクロスフローファン１の中央付近に風速抑制手段７を配置することとなり、風速の抑制効果を最大限発揮することができ、また縦長の吹出口５の中央付近に空質向上手段６を配置することにより抑制された風速の清浄空気を空質向上手段６に供給できるとともに、吹出口５の中央付近から空質向上成分を放散し、室内に広く行き渡らせることができることとなる。
【００６２】
また、縦長のクロスフローファン１と縦長の吹出口５の中央位置がずれている場合は、円弧状ケーシング８または舌部ケーシング９に風量分布調整手段１０を追加したので、縦長のクロスフローファン１と縦長の吹出口５の中央位置がずれている場合は、吹出口５からの風速分布または風量分布が上下に偏りを生じるときがあり、風速抑制手段７（突起リブ１１など）と同様な形状の風量分布調整手段１０を、風量大なる領域に追加することにより風量バランスを保つことができ、空質向上手段６を中心にした略均等な風量配分を実現できることとなる。
【００６３】
また、風速抑制手段７または風量分布調整手段１０を、円弧状のケーシング８の内面に突起リブ１１を設け形成したので、円弧状ケーシング８の内面に設けた突起リブ１１は、空質向上手段６の上流側で空質向上手段６に直接風が当たらないように送風路を一部変更するとともに、空質向上手段６に供給する風速を下げることができ、空質向上手段６通過時の風切音を低減し、圧力変動に起因するバサバサという耳障りな騒音の発生を抑制でき、また、金型成形により製造時、安価、かつ容易に円弧状ケーシング８の内面に突起リブ１１を設けることができることとなる。
【００６４】
また、突起リブ１１の断面形状を三角形状としたので、円弧状ケーシング８からの風向の方向変換がスムースに行なえるとともに、突起リブ１１の先端をクロスフローファン１に近接させて圧力変動に強くなり、さらに突起リブ１１の根元を強固にして破損を防止することができることとなる。
【００６５】
（実施の形態２）
図７に示すように、風速抑制手段７Ａを、円弧状ケーシング８Ａと舌部ケーシング９Ａを連結する連結リブ１３により形成し構成する。
【００６６】
上記構成において、風速抑制手段７Ａとなる連結リブ１３は円弧状ケーシング８Ａから舌部ケーシング９Ａに至る長い領域で風速を低減でき、実施の形態１で示した突起リブ１１（図示せず）に比べて大きな風速抑制効果を発揮できるとともに、円弧状ケーシング８Ａと舌部ケーシング９Ａを中央部分で連結しているので、縦長の円弧状ケーシング８Ａと舌部ケーシング９Ａを補強することができることとなる。
【００６７】
（実施の形態３）
図８に示すように、風速抑制手段７Ｂを円弧状ケーシング８Ｂに局所的に肉厚部１４を設け構成する。
【００６８】
上記構成において、実施の形態１で示した突起リブ１１（図示せず）に比べて損傷する恐れが少なく、円弧状ケーシング８Ｂ自体も補強することができることとなる。
【００６９】
（実施の形態４）
図９に示すように、空質向上手段６Ａを、マイナスイオン発生装置１５により形成し、構成する。
【００７０】
上記構成において、空質向上手段６Ａを従来の小形のマイナスイオン発生装置に比べて吹出口５Ａの一部を遮断するように設けているので、大形のマイナスイオン発生装置を取り付けることができ、吹出口５Ａからマイナスイオンをほとんど減少させることなく効率良く室内に供給することができることとなる。
【００７１】
（実施の形態５）
図１０に示すように、空質向上手段６Ｂを、微細水滴発生手段１６により形成し、構成する。
【００７２】
上記構成において、吹出口５Ｂから微細水滴発生手段１６により発生した微細水滴を清浄空気とともに供給して、室内の動植物に適度な湿気を供給して快適環境を実現できるとともに、微細水滴は、ほとんど減少されることなく、効率良く室内に供給することができることとなる。
【００７３】
なお、微細水滴発生手段１６として、ヒータ加熱加湿装置、超音波霧化装置、フィルター給水式加湿装置、静電霧化装置などを適用できる。
【００７４】
（実施の形態６）
図１１および図１２に示すように、外径９０ｍｍのクロスフローファン１Ａと円弧状ケーシング８Ｃに設けた風速抑制手段７Ｃとの距離Ｌを７〜１１ｍｍに形成し構成する。
【００７５】
上記構成において、クロスフローファン１Ａと円弧状ケーシング８Ｃに設けた風速抑制手段７Ｃ（突起リブ１１）との距離Ｌが１１ｍｍより大きい場合には、図１２の特性図に示すように風量が急激に減少し、送風機能が発揮できなくなり、距離Ｌが７ｍｍ未満の場合には特性図に示すように騒音が急激に大きくなり実用化できないので、クロスフローファン１Ａと円弧状ケーシング８Ｃに設けた風速抑制手段７Ｃとの距離Ｌを７〜１１ｍｍに形成するのが特性面で最適となることとなる。
【００７６】
（実施の形態７）
図１３に示すように、クロスフローファン１Ｂの上下端の少なくとも一端を覆うように円弧状ケーシング８Ｄと舌部ケーシング９Ｂを連結する漏れ防止リブ１７を設け本体４Ａを構成する。
【００７７】
上記構成において、クロスフローファン１Ｂの上下端の隙間から漏れようと気流が、漏れ防止リブ１７により防止され、圧力損失を適正に保ち、空気清浄効率および処理風量を確保することができることとなる。
【００７８】
（実施の形態８）
図１４に示すように、クロスフローファン１Ｃの上端の連結板（図示せず）間または、下端の連結板間の範囲内において対向する舌部ケーシング９Ｃに舌部１２Ａより高さの大なる突出リブ１８を形成し構成する。
【００７９】
上記構成において、圧力損失のバランスが崩れやすいクロスフローファン１Ｃの上端の連結板または下端の連結板の範囲で舌部ケーシング９Ｃに舌部１２Ａより高さの大なる突出リブ１８を形成することで、圧力損失をクロスフローファン１Ｃの中央側と同等に調整することができ、空気清浄効率および処理風量を確保することができることとなる。
【００８０】
（実施の形態９）
図１５に示すように、クロスフローファン１Ｄの各連結板１９に対向して円弧状ケーシング８Ｅに複数の風路規制リブ２０を設け構成する。
【００８１】
上記構成において、円弧状ケーシング８Ｅに設けた風路規制リブ２０が整流機能を発揮し、クロスフローファン１Ｄの吸込気流により上下方の乱れを生じないようにして、風量の変動を抑えて騒音の発生を防止することができることとなる。
【産業上の利用可能性】
【００８２】
クロスフローファンの一部を囲む円弧状ケーシングに風速抑制手段を用いて容易に吹出口の風速分布を抑制できることにより、空質向上手段を吹出口に取り付けた除湿機、加湿機、冷暖房機器などの空気調和機の用途にも適用できる。
【図面の簡単な説明】
【００８３】
【図１】本発明の実施の形態１の空気清浄機の横断面図
【図２】同空気清浄機の風速抑制手段と空質向上手段の関係を示す要部側面図
【図３】同空気清浄機の風量分布調整手段を設けた状態を示す要部側面図
【図４】同空気清浄機の突起リブを設けた円弧状ケーシングの斜視図
【図５】同空気清浄機の断面三角形状の突起リブを設けた円弧状ケーシングの斜視図
【図６】同空気清浄機の外観斜視図
【図７】本発明の実施の形態２の空気清浄機の内部構成を示す斜視図
【図８】本発明の実施の形態３の空気清浄機の要部拡大断面図
【図９】本発明の実施の形態４の空気清浄機の要部拡大断面図
【図１０】本発明の実施の形態５の空気清浄機の要部拡大断面図
【図１１】本発明の実施の形態６の空気清浄機の要部拡大断面図
【図１２】同空気清浄機の風量と騒音を示す特性図
【図１３】本発明の実施の形態７の空気清浄機の内部構成を示す斜視図
【図１４】本発明の実施の形態８の空気清浄機の突出リブを示す要部拡大断面図
【図１５】本発明の実施の形態９の空気清浄機の内部構成を示す斜視図
【図１６】従来の空気調和機の室内ユニットの構成部品とその作用の説明図
【図１７】同他の空気改善機器の本体の前シエルの背面図
【図１８】同空気改善機器の取付具の斜視図
【符号の説明】
【００８４】
１      クロスフローファン
１Ａ    クロスフローファン
１Ｂ    クロスフローファン
１Ｃ    クロスフローファン
１Ｄ    クロスフローファン
２      空気清浄手段
３      吸込口
４      本体
５      吹出口
６      空質向上手段
６Ａ    空質向上手段
７      風速抑制手段
７Ａ    風速抑制手段
７Ｂ    風速抑制手段
７Ｃ    風速抑制手段
８      円弧状ケーシング
８Ａ    円弧状ケーシング
８Ｂ    円弧状ケーシング
８Ｃ    円弧状ケーシング
８Ｄ    円弧状ケーシング
８Ｅ    円弧状ケーシング
９      舌部ケーシング
９Ａ    舌部ケーシング
９Ｂ    舌部ケーシング
９Ｃ    舌部ケーシング
１０    風量分布調整手段
１１    突起リブ
１２Ａ  舌部
１３    連結リブ
１４    肉厚部
１５    マイナスイオン発生装置
１６    微細水滴発生手段
１７    漏れ防止リブ
１８    突出リブ
１９    連結板
２０    風路規制リブ
【図１】
2007024390.tif 000003
【図２】
2007024390.tif 000004
【図３】
2007024390.tif 000005
【図４】
2007024390.tif 000006
【図５】
2007024390.tif 000007
【図６】
2007024390.tif 000008
【図７】
2007024390.tif 000009
【図８】
2007024390.tif 000010
【図９】
2007024390.tif 000011
【図１０】
2007024390.tif 000012
【図１１】
2007024390.tif 000013
【図１２】
2007024390.tif 000014
【図１３】
2007024390.tif 000015
【図１４】
2007024390.tif 000016
【図１５】
2007024390.tif 000017
【図１６】
2007024390.tif 000018
【図１７】
2007024390.tif 000019
【図１８】
2007024390.tif 000020